(57)【特許請求の範囲】
【請求項１】
底板の幅方向両端に一対の側壁板を起立し、該一対の側壁板に幅方向両端を連結して前記底板の後端に通水穴を有する後壁板を起立して構成した桝本体と、前記一対の側壁板の内面に対向して縦方向に設けたガイド溝と、該ガイド溝の位置に対応して前記桝本体内の下端に設けた受圧板支持部と、上端側に後方に突出する係止ストッパーを有し、下端側を前記受圧板支持部に係止した状態で幅方向両端側を前記ガイド溝の略下半分に遊嵌することにより後方に傾転可能に設けた受圧板と、下端側に前記係止ストッパーに接離する係合ストッパーを有し、該下端側を前記受圧板の上端側に対面した状態で幅方向両端側を前記ガイド溝の略上半分に遊嵌することにより昇降可能に設けた水位調整板とから構成し、該水位調整板は、水圧及び／又は土圧により前記受圧板支持部を支点に後方に傾転する前記受圧板の上端側が圧接することにより、前記桝本体に押圧されて水位調整高さに保持され、かつ該受圧板の押圧力に抗して前記係合ストッパーが前記係止ストッパーに当接する高さまで昇降操作を可能とした水田用水位調整桝。
【請求項２】
前記受圧板支持部は、前記ガイド溝の略半分の溝幅でガイド溝の前溝面に沿って設け、前記受圧板の下端側が嵌合する支持溝である請求項１記載の水田用水位調整桝。
【請求項３】
前記受圧板支持部は、前記ガイド溝と略同一の溝幅の支持溝に形成し、前記受圧板は下端側に該支持溝に嵌合する突起部を設けた構成にしてあることを特徴とする請求項１記載の水田用水位調整桝。
【請求項４】
前記受圧板は、受圧面である前面に凸状又は凹状の浮上り防止部を設けてあることを特徴とする請求項１記載の水田用水位調整桝。
【請求項５】
前記水位調整板の上端側に昇降用操作部を設けてあることを特徴とする請求項１記載の水田用水位調整桝。
【請求項６】
前記昇降用操作部は、前記水位調整板の前面上端側に設けた凸状体からなることを特徴とする請求項５記載の水田用水位調整桝。
【請求項７】
底板の幅方向両端に一対の側壁板を起立し、該一対の側壁板に幅方向両端を連結して前記底板の後端に通水穴を有する後壁板を起立することにより桝本体を構成し、前記一対の側壁板の内面に対向して縦方向にガイド溝を設け、該ガイド溝の位置に対応して前記桝本体内の下端に受圧板支持部を設け、前記一対のガイド溝に幅方向両端側を遊嵌し、下端側を前記受圧板支持部に係止して後方に傾動可能に受圧板を配設し、該受圧板の上端側に下端側を対面させた状態で前記ガイド溝に昇降可能に水位調整板を挿嵌し、該水位調整板は前記受圧板が水圧及び／又は土圧により傾動して圧接することにより水位調整高さを保持し、かつ該受圧板の上端に設けた係止ストッパーに水位調整板の下端に設けた係合ストッパーが当接することにより該水位調整板の引上げ高さを規制するようにしてなる水田の水位調整方法。
【発明の詳細な説明】
【技術分野】
【０００１】
本発明は、稲の生育時期に応じて水田の水位の調整を簡単な操作で、しかもミリ単位の高い精度で行うことができる水田用水位調整桝及び水田の水位調整方法に関する。
【背景技術】
【０００２】
水田では、稲の生育過程と気温の変化に応じて水量をきめ細かく管理する作業が毎日必要である。例えば、気温が下がったときには、水田に水を導入して水深を深くすることにより稲を冷害から守り、ある程度成長した段階では水田から水を抜いて稲に強い生命力を持たせるといった管理を行うが、微妙な水位調整を行うため、作業に時間を要しているのが現状である。
【０００３】
この水位調整には、従来から水位調整桝（田区落ち口桝とも称する。）を用いているが、従来の水位調整桝として、給排水本体１に仕切溝７を設け、調整する水位に応じて複数枚の仕切板１１を仕切溝７に縦方向に重ねて嵌合する構成の給排水具が提案されている（特許文献１）。また、板状材を蝶番により屈曲性を付与した水門扉２と、略Ｕ字形の切欠き開口部を有し、差込溝を設けた水門本体１と、該水門本体１に設け、水門扉２を巻き取る螺旋状円筒収容部３を設けた構成の水位調整装置が提案されている（特許文献２）。
【先行技術文献】
【特許文献】
【０００４】
【特許文献１】実開昭５８−１８０９２４号公報
【特許文献２】特開２００５−７６４３７号公報
【発明の概要】
【発明が解決しようとする課題】
【０００５】
上述した特許文献１の給排水具は、複数枚の仕切板１１を用意し、調整する水位に応じて仕切板１１の枚数を選択して設置するため、センチ単位の水位調整は可能でもミリ単位の細かな水位調整はできないという欠点、複数枚の仕切板を組合わせて行う水位調整高さの設定に手数を要するという欠点がある。また、特許文献２の水位調整装置は、差込溝と水門扉２との間や水門扉２と螺旋状円筒収容部３との間に細かい粒子の土や粘土が次第に侵入するため、水門扉２を螺旋状円筒収容部３内に円滑に摺動させて出入することは困難であるし、作動不良になる欠点がある。
【０００６】
本発明は上述した従来技術の諸欠点に鑑みなされたもので、簡単な操作でミリ単位の水位調整が可能であり、構成が簡単で土や泥土の侵入による作動不良が無いので保守が容易であるし、水位調整板が昇降操作の際に受圧板から外れる誤操作も確実に防止できるので深水管理を正確、容易、かつ効率良く行うことができる水田用水位調整桝及び水田の水位調整方法を提供することを目的とする。
【課題を解決するための手段】
【０００７】
上述した課題を解決するために構成した請求項１に係る本発明の手段は、底板の幅方向両端に一対の側壁板を起立し、該一対の側壁板に幅方向両端を連結して前記底板の後端に通水穴を有する後壁板を起立して構成した桝本体と、前記一対の側壁板の内面に対向して縦方向に設けたガイド溝と、該ガイド溝の位置に対応して前記桝本体内の下端に設けた受圧板支持部と、上端側に後方に突出する係止ストッパーを有し、下端側を前記受圧板支持部に係止した状態で幅方向両端側を前記ガイド溝の略下半分に遊嵌することにより後方に傾転可能に設けた受圧板と、下端側に前記係止ストッパーに接離する係合ストッパーを有し、該下端側を前記受圧板の上端側に対面した状態で幅方向両端側を前記ガイド溝の略上半分に遊嵌することにより昇降可能に設けた水位調整板とから構成し、該水位調整板は、水圧及び／又は土圧により前記受圧板支持部を支点に後方に傾転する前記受圧板の上端側が圧接することにより、前記桝本体に押圧されて水位調整高さに保持され、かつ該受圧板の押圧力に抗して前記係合ストッパーが前記係止ストッパーに当接する高さまで昇降操作を可能としたものからなる。
【０００８】
そして、前記受圧板支持部は、前記ガイド溝の略半分の溝幅でガイド溝の前溝面に沿って設け、前記受圧板の下端側が嵌合する支持溝にするとよい。
【０００９】
また、前記受圧板支持部は、前記ガイド溝と略同一の溝幅の支持溝に形成し、前記受圧板は下端側に該支持溝に嵌合する突起部を設けるとよい。
【００１０】
更に、前記受圧板は、受圧面である前面に凸状又は凹状の浮上り防止部を設けるとよい。
【００１１】
また、前記水位調整板の上端側に昇降用操作部を設けるとよい。
【００１２】
また、前記昇降用操作部は、前記水位調整板の前面上端側に設けた凸状体にするとよい。
【００１３】
本願の請求項７に係る本発明の構成は、底板の幅方向両端に一対の側壁板を起立し、該一対の側壁板に幅方向両端を連結して前記底板の後端に通水穴を有する後壁板を起立することにより桝本体を構成し、前記一対の側壁板の内面に対向して縦方向にガイド溝を設け、該ガイド溝の位置に対応して前記桝本体内の下端に受圧板支持部を設け、前記一対のガイド溝に幅方向両端側を遊嵌し、下端側を前記受圧板支持部に係止して後方に傾動可能に受圧板を配設し、該受圧板の上端側に下端側を対面させた状態で前記ガイド溝に昇降可能に水位調整板を挿嵌し、該水位調整板は前記受圧板が水圧及び／又は土圧により傾動して圧接することにより水位調整高さを保持し、かつ該受圧板の上端に設けた係止ストッパーに水位調整板の下端に設けた係合ストッパーが当接することにより該水位調整板の引上げ高さを規制するようにしたことにある。
【発明の効果】
【００１４】
本発明は上述の如く構成したから、下記の諸効果を奏する。
（１）水圧及び／又は土圧により傾斜した受圧板は上端側が水位調整板を桝本体に常時押圧することにより、水位調整板は水位調整高さを保持し、水位調整板は受圧板を起立方向に押動することで昇降可能になり、ミリ単位で水位の微妙な調整を容易に行うことができるので、深水管理を容易に、正確にかつ確実に行うことができる。
（２）受圧板の上端側に係止ストッパーを設け、水位調整板の下端側に係止ストッパーに当接する係合ストッパーを設けたから、水位調整のために昇降操作する水位調整板を引上げ過ぎて受圧板から離間してしまう事態を確実に防止することができ、水位調整板の昇降操作を効率よく安心して行うことが出来る。
（３）底板の内面にガイド溝の略半分の溝幅の支持溝をガイド溝の前溝面に沿って設け、支持溝に受圧板の下端側を挿嵌する構成にしたから、簡単な構成であるが、支持溝を支点にして受圧板は確実に傾斜することができる。
（４）受圧板は、底板の支持溝に嵌合する突起部を後面の下端側に設けた構成にすることにより、支持溝をガイド溝と同一幅に形成してある既存の桝本体を用いも受圧板と水位調整板による水位調整が可能である。
（５）受圧板は、受圧面である前面に凸状又は凹状の浮上り防止部を設けたから、水圧及び／又は土圧を確実に受承して水位調整板を押圧することができる。また、水位調整板を強く引上げたような場合でも摩擦力で共に浮上る事態を可及的に防止することができるし、水位調整板の係合ストッパーが受圧板の係合ストッパーに強く当たった場合にも受圧板が引き上げられる事態を防止することができる。
（６）水位調整板の上端側に昇降用操作部を突設することにより、先端が鉤状の操作棒で昇降用操作部を作動可能にしたから、作業者は屈むことなく略直立の姿勢で水位調整板の昇降操作を行うことができるので、高齢化している農作業者にとっても身体に負担を受けることなく水位調整作業を楽に、効率的に行うことができる、
（７）受圧板及び水位調整板とガイド溝及び支持部との隙間には浸入した泥水が泥土となって残留し、パッキンの役目を果して水漏れを防止するので、桝本体に対して受圧板を傾斜した状態で配設しても水漏れすることなく設定水位を維持することができる。
（８）桝本体から受圧板と水位調整板を抜き取るだけで、水田からの水抜きを一気に速やかに行うことができる。
（９）水田用水位調整桝は、桝本体と受圧板と水位調整板の３部材のみからなり、構成が簡単であることから故障や作動不良がないし、水位調整操作も容易であり、保管も面倒がなく、製作費も極めて安価である。
【図面の簡単な説明】
【００１５】
【図１】図１乃至図５は本発明の第１の実施の形態に係り、図１は水田用水位調整桝の外観斜視図である。
【図２】水田用水位調整桝の正面図である。
【図３】図２中のＩＩＩ−ＩＩＩ矢示方向断面図である。
【図４】図３中の矢示Ａ部拡大図である。
【図５】図３中の矢示Ｂ部拡大図である。
【図６】第２の実施の形態に係る水田用水位調整桝の部分拡大図である。
【図７】図７及び図８は第３の実施の形態に係り、図７は水田用水位調整枡の部分拡大図である。
【図８】水田用水位調整桝の横断面図である。
【発明を実施するための形態】
【００１６】
以下、本発明の第１の実施の形態を図面に基づき詳述する。図において、１はコンクリート製の桝本体を示す。２は該桝本体１を構成する四角形の平板からなる底板、３、３は該底板２の幅方向両側端から対向して起立する一対の側壁板で、該各側壁板３は縦長長方形の平板の前縁３Ａ及び後縁３Ｂを垂直縁に、上縁３Ｃから前縁３Ａにかけて傾斜縁に形成した平板からなる。そして、各側壁板３の外面３Ｄは、縦長の２列の凹陥部３Ｅ、３Ｅを形成することによって凹凸面に形成してあり、畦に埋設した側壁板３に沿って鼠等の小動物が容易に水田に入り込まないように防止すると共に、畦に対して桝本体１の安定性を高めている。
【００１７】
４は桝本体１を構成し、底板２の後端から起立して両側端は一対の側壁板３、３に連結している後壁板で、該後壁板４は図示しない排水管を接続するための通水穴４Ａが下部側に形成してあり、後面４Ｂ上部に畦に対する係合力を高めるための凹陥部４Ｃが形成してある。かくして、桝本体１は底板２と、一対の側壁板３、３と、後壁板４とによって正面視で略凵字状、平面視で略冂字状、縦断面視で略Ｌ字状をなし、前方と上方が開放した形状からなっている。
【００１８】
５、５は一対の側壁板３、３の内面３Ｆに縦方向に形成し、後述する受圧板７及び水位調整板８の幅方向両端側を支持するガイド溝を示す。該各ガイド溝５は、前溝面５Ａと後溝面５Ｂ間の溝幅Ｌを受圧板７と水位調整板８を衝合した状態で嵌合可能な幅、実施の形態では約１３ｍｍに設定してある。６は底板２の内面２Ａに横幅方向に設けた受圧板支持溝を示す。該受圧板支持溝６はガイド溝５の略半分の溝幅Ｌ２、実施の形態では約５ｍｍにしてあり、ガイド溝５の前溝面５Ａに沿って形成してある。
【００１９】
７は前面７Ａの受圧面と後面７Ｂの圧接面が平坦で、ガイド溝５の略半分の高さの四角形の平板からなるコンクリート製又は合成樹脂製の受圧板を示す。該受圧板７は下端側７Ｃが支持溝６に嵌合する板厚Ｌ３に形成し（図４参照）、後面７Ｂの上端側７Ｄには後方に向けて係止ストッパー７Ｅを横方向に突設し、前面７Ａの高さ方向略中間には棒体からなる浮上り防止部７Ｆを横方向に突設してある。かかる構成の受圧板７は下端側７Ｃを受圧板支持溝６に挿脱自在に嵌合し、幅方向両端側をガイド溝５に挿嵌して桝本体１に挿装することで、前面７Ａは矢示イ方向から水圧及び／又は土圧を受ける受圧面となり、支持溝６を支点にして後方に傾転可能になっている。
【００２０】
８は前面８Ａの当接面と後面８Ｂが平坦で、下端側８Ｃが前記受圧板７の上端側７Ｄと衝合する縦方向長さを有するコンクリート製又は合成樹脂製の水位調整板を示す。該水位調整板８はガイド溝５の溝幅Ｌの略半分以下の板厚Ｌ４、実施の形態では約５ｍｍの板体からなり（図４参照）、前面８Ａには下端側８Ｃに位置して前方に突出する横長の係合ストッパー８Ｄ、上端側８Ｅには前方に突出する横長の昇降用操作部８Ｆが夫々設けてある。この昇降用操作部８Ｆは、水位調整板８の昇降操作を容易にすると共に、受圧板７の上端に当接することで、水位調整板８が受圧板７より下方に落ち込むのを防止している。
【００２１】
本実施の形態に係る水田用水位調整桝は上述の構成からなるもので、次にその作用について説明する。桝本体１は開放した前側を水田に向け、後壁板４を畦側にして、受圧板７が水田の田面より下になるようにして畦に埋設して設置する。そして、水田に水を張ると、受圧面である前面７Ａに矢示イ方向からの水圧及び土圧を受けた受圧板７は受圧板支持溝６を支点にして後方に傾転し、上端側７Ｄが水位調整板８の前面８Ａに圧接することにより、水位調整板８は桝本体１に押付けられて高さを保持した状態になる。水田の水位が上昇すると水は水位調整板８の上端を溢流して桝本体１内に流入し、通水穴４Ａから排水管に流出することで、水田を設定した水位に保つことができる。
【００２２】
また、水位調整のために水位調整板８の高さを変える場合は、昇降用操作部８Ｆに鉤掛けて水位調整板８を矢示ロ方向の前方に押動し、桝本体１から離間させた状態にすると、受圧板７は受圧板支持溝６を支点にして略垂直状態に起立することで、水位調整板８は受圧板７を介して作用している水圧及び／又は土圧から開放される。そこで、水位調整板８を矢示ハ、ニ方向に昇降させることにより、水位調整高さをミリ単位で設定することができる。設定した後、水位調整板８の上端側に掛けていた矢示ロ方向の押動力を解除することで、受圧板７は水圧及び／又は土圧によって傾転し、水位調整板８に圧接することで水位調整板８は設定した水位調整高さを保持することができる。
【００２３】
また、水位調整操作において、水位調整板を受圧板より上方に引上げて離脱してしまうと、元の状態に戻すには水圧及び／又は土圧を受けている受圧板を引起すために相当の力と時間が必要である。しかし、本実施の形態では、受圧板７の上端側７Ｄに係止ストッパー７Ｅを設け、水位調整板８の下端側８Ｃに係止ストッパー７Ｅに当接する係合ストッパー８Ｄを設けることにより、昇降操作する水位調整板８を引上げ過ぎて受圧板７から離間してしまう事態を確実に防止するようにしたから、水位調整板８の昇降操作を安心して効率よく行うことが出来る。
【００２４】
このように、水位調整板８の傾動操作と昇降操作だけで所望の水位設定作業を簡単に、かつ正確に行うことができる。しかも、調整作業は、水位調整板８の上端側８Ｅに設けた昇降用操作部８Ｆに鉤状の棒を掛けて行うことで、作業者は屈むことなく略直立の姿勢で水位調整板の昇降操作を行うことができるので、高齢化している農作業者にとっても身体的負担を受けることなく水位調整作業を楽に、効率的に行うことができる、
【００２５】
また一般に、通常密接した状態の受圧板と水位調整板は水圧、水の表面張力、粒子の細かい土や粘土の粘着力、土圧等によって互いに密着した状態になって容易に離間できないといった事態になる。しかし、本実施の形態では、受圧板７は受圧板支持溝６を支点にして水位調整板８に対して傾転した状態で上端側７Ｄを水位調整板８に当接する構成にしてあるから、受圧板７と水位調整板８は密着状態にならないので容易に離間させることができる。
【００２６】
また、水田内で前方からの土圧はその殆どを受圧板７が受けており、水位調整板８は受圧板７の後方の畦側に位置していることから、水位調整板８の下方に土が溜って下降動作を妨げる事態にはならない。更に、水田での試験結果から、受圧板支持溝６と受圧板７及び水位調整板８との隙間に浸入する泥水が泥土となって残留することでパッキンとしての機能を有しており、当該隙間から水が漏洩するのを略完全に防止している。このため、受圧板支持溝６と受圧板７及び水位調整板８に求められる製作上の寸法はさほど厳密である必要はなく、製作コストも安価に抑えることができる。
【００２７】
なお、水位調整板が受圧板より縦長で、受圧板より下方に落ち込むことがない場合は、実施の形態で示す昇降用操作部８Ｆは水位調整板８の後面８Ｂ側に設けてもよいものである。
【００２８】
また、本実施の形態では受圧板７の受圧面である前面７Ａに棒体からなる浮上り防止部７Ｆを突設したが、前面７Ａを波型面や鋸歯状面に形成し、或いは複数の横方向の溝を形成することにより浮上りを防止するようにしてもよいものである。
【００２９】
図６は第２の実施の形態に係る水田用水位調整桝を示す。１１は該水位調整桝を構成する桝本体で、桝本体１１は底板１２、一対の側壁板１３、１３及び後壁板（図示せず。）によって、第１の実施の形態の桝本体１と同様に構成してある。１４は各側壁板１３の内面１３Ａに縦方向に形成したガイド溝、１５は底板１２の内面１２Ａに形成した受圧板支持溝で、該受圧板支持溝１５とガイド溝１４は同じ溝幅に設定してある。１６は受圧板で、該受圧板１６の後面１６Ａの下端側１６Ｂには、後方に向けて突起部１６Ｃが設けてあり、受圧板１６は該突起部１６Ｃを後側にして受圧板支持溝１５に傾転可能な状態で嵌合している。
【００３０】
本実施の形態によれば、受圧板１６が受圧板支持溝１５を支点に後方に傾転し、図示しない水位調整板８に圧接することで水位を調整する基本的作用は第１の実施の形態と同じであるが、ガイド溝１４と受圧板支持溝１５が同じ幅に形成してある既設の桝本体１１にも受圧板１６と水位調整板８による本発明の水位調整方法を用いることができる。
【００３１】
図７及び図８は第３の実施の形態を示す。２１は該水位調整桝を構成する桝本体で、桝本体２１は底板２２、一対の側壁板２３、２３及び後壁板２４から構成してある。２５、２５は側壁板２３、２３の各内面２３Ａに縦方向に形成した一対のガイド溝、２６は該各ガイド溝２５の前溝面２５Ａに対向する後溝面２５Ｂの下端側に前方に向けて形成した受圧板支持突起で、該受圧板支持突起２６とガイド溝２５の前溝面２５Ａとの間は、第１の実施の形態の受圧板７が嵌合した状態で傾転可能な間隔に設定してある。
【００３２】
上述の構成からなる本実施の形態においては、一対の受圧板支持突起２６、２６をガイド溝２５、２５内に形成することにより受圧板７をガイド溝２５内で支持するようにし、底板２２は内面２２Ａを平坦面に形成してあるから、例えばガイド溝２５等から土砂を除去する作業を効率良く行うことができる。
【００３３】
各実施の形態に示すように、本発明における受圧板支持部は、水圧及び／又は土圧を受ける受圧板が後方に傾転する場合の支点となる機能を有するものであればよく、特定の形成場所や形状に限定されるものではない。
【００３４】
本発明は桝本体１（１１、２１）、受圧板支持部６（１５、２６）、受圧板７（１６）、水位調整板８の比較的簡単な構成からなるが、複数枚の水田の深水管理を短時間に行わなければならない作業量、各水田の水位調整作業の手数を考慮すると、本発明は作業容易性、保守管理の容易性、安価な製作コスト等、幾多の面で極めて優れた作用効果を奏する水位調整桝である。かつ、水田という水、土、泥土が混在した特殊な環境における実証実験により、例えば泥土のパッキンとしての機能等その作用効果を確認することによって発明することができた水田用水位調整枡であり、水田の水位調整方法である。
【符号の説明】
【００３５】
１、１１、２１      桝本体
２、１２、２２      底板
２Ａ、１２Ａ、２２Ａ    内面
３、１３、２３      側壁板
３Ａ、１３Ａ、２３Ａ  内面
４、２４            後壁板
４Ａ                通水穴
５、１４、２５      ガイド溝
６、１５        受圧板支持溝（受圧板支持部）
７、１６        受圧板
７Ａ            前面
７Ｅ            係止ストッパー
８              水位調整板
８Ｄ            係合ストッパー
８Ｆ            昇降用操作部
１６Ｃ          突起部
２６            受圧板支持突起（受圧板支持部）
【要約】
【課題】水田の水位調整を容易に、ミリ単位の正確な設定を行うことができるので深水管理の負担が小さいし、構造が単純であるから故障や作動不良の問題も無い水田用水位調整桝を提供する。
【解決手段】桝本体１を構成する一対の側壁板３、３の内面３Ｆにガイド溝５が形成してあり、底板２の内面２Ａに略半分の幅の受圧板支持溝６が形成してある。上端側に係止ストッパーを有する受圧板７は下端側を受圧板支持溝６に嵌合し、両幅側はガイド溝５に嵌合して傾転可能になっている。下端側に係合ストッパーを有する水位調整板８が受圧板７と対向してガイド溝５の上部側に昇降可能に挿装してある。水位調整板８は、受圧板６が水圧及び／又は土圧により受圧板支持溝６を支点に後方に傾斜して圧接することで所望の水位調整高さに保持され、係合ストッパーが係止ストッパーに当接することで受圧板７からの離間が防止される。
【選択図】図３【図１】
0004817159.tif 000002
【図２】
0004817159.tif 000003
【図３】
0004817159.tif 000004
【図４】
0004817159.tif 000005
【図５】
0004817159.tif 000006
【図６】
0004817159.tif 000007
【図７】
0004817159.tif 000008
【図８】
0004817159.tif 000009